(57)【要約】【課題】デジタル放送の受信時における画面フリーズを抑制すること。【解決手段】アンテナ１０、チューナ１１によってデジタル放送を受信し、ＯＦＤＭ復調して取り出したＴＳパケットをＦＩＦＯ制御部３２に記憶する。この補完訂正処理部３３は、この記憶順序とＴＳパケットに含まれる順序情報とを比較し、不一致がある場合にＴＳパケットの訂正や補完を実行する。さらに、ＭＰＥＧ２デコーダ２２に加えてＭＰＥＧ４デコーダ３５を有し、映像処理部３６は、ＭＰＥＧ２映像データにエラー領域が存在する場合にＭＰＥＧ４映像データの対応する領域を用いて映像の補完を実行する。【選択図】        図１
2005260606.tif 000002
【特許請求の範囲】
【請求項１】
デジタル放送を受信するデジタル放送受信装置であって、
受信パケットの受信順序に基づいて、当該受信パケットの誤り訂正および／または補完を行なう補完訂正手段を備えたことを特徴とするデジタル放送受信装置。
【請求項２】
前記補完訂正手段は、前記受信パケットをＦＩＦＯメモリに記憶し、当該ＦＩＦＯメモリにおける記憶順序を前記受信順序として用いることを特徴とする請求項１に記載のデジタル放送受信装置。
【請求項３】
前記補完訂正手段は、前記受信パケットに含まれる順序情報と前記受信順序とを比較し、前記順序情報と前記受信順序との間に不整合が生じた場合に前記順序情報を書き換えて訂正することを特徴とする請求項１または２に記載のデジタル放送受信装置。
【請求項４】
前記補完訂正手段は、前記受信パケットに含まれる順序情報と前記受信順序とを比較して受信パケットの欠落の有無を判定し、欠落した受信パケットが判明した場合に当該欠落パケットを作成して補完することを特徴とする請求項１〜３のいずれか一つに記載のデジタル放送受信装置。
【請求項５】
前記補完訂正手段は、前記欠落パケットの内容を、以前のフレームにおける対応個所の内容を用いて作成することを特徴とする請求項４に記載のデジタル放送受信装置。
【請求項６】
前記補完訂正手段は、Ｉピクチャに対して選択的もしくは優先的に訂正および／または補完を行なうことを特徴とする請求項１〜５のいずれか一つに記載のデジタル放送受信装置。
【請求項７】
デジタル放送を受信するデジタル放送受信装置であって、
異なる複数の符号化方式にそれぞれ対応する複数の復号手段と、
前記複数の復号手段による復号結果を組み合わせて出力映像を作成する出力映像作成手段と、
を備えたことを特徴とするデジタル放送受信装置。
【請求項８】
前記複数の復号手段は、高品質の映像出力に対応する第１の復号手段と、低品質の映像出力に対応する第２の復号手段とを備え、前記出力映像作成手段は、前記第１の復号手段からの出力にエラー領域が存在する場合に、当該エラー領域に対応する前記第２の復号手段の出力を用いて前記エラー領域の補完を行なうことを特徴とする請求項７に記載のデジタル放送受信装置。
【請求項９】
前記出力映像作成手段は、Ｉピクチャに発生したエラー領域に対して選択的もしくは優先的に補完を行なうことを特徴とする請求項８に記載のデジタル放送受信装置。
【請求項１０】
前記第１の復号手段は、ＭＰＥＧ２方式に対応することを特徴とする請求項８または９に記載のデジタル放送受信装置。
【請求項１１】
前記第２の復号手段は、ＭＰＥＧ４方式に対応することを特徴とする請求項８，９または１０に記載のデジタル放送受信装置。
【発明の詳細な説明】
【技術分野】
【０００１】
この発明は、デジタル放送を受信するデジタル放送受信装置に関し、特に、車両等の移動体に設置されるなど受信状態が変動する状態で使用可能なデジタル放送受信装置に関する。
【背景技術】
【０００２】
近年、映像番組をデジタル化して放送するデジタルテレビ放送が実用化されている。デジタル放送では、高画質化、多チャンネル化、双方向化が実現できるという利点があるので、従来から衛星デジタル放送が行われているのに加え、地上波アナログ放送をデジタル放送に移行させるなどその利用が広がっている（例えば、特許文献１参照。）。
【０００３】
【特許文献１】特開２００１−２８５７５２号公報
【発明の開示】
【発明が解決しようとする課題】
【０００４】
ところで、デジタル放送では放送内容をＴＳパケットとして送信し、受信装置側はこのＴＳパケットをデコードして映像を再構成している。
【０００５】
しかし、電波の受信状態が不充分である場合などには、受信するＴＳパケットに欠落や誤りが発生することがある。かかる状況では、再構成した映像は不完全なものとなり、正常な再生が行われない。
【０００６】
そこで、従来からデジタル放送受信装置では、正常な再生が不可能である場合に再生を停止するフリーズ処理を実行し、充分な受信状態が確保できた場合に映像再生を再開するようにしている。
【０００７】
特に、車載テレビなど移動体に搭載されたデジタル放送受信装置では、移動に伴って電波の受信状態が変動するため、フリーズ処理の発生頻度が高くなる。
【０００８】
すなわち、従来のデジタル放送受信装置では、ＴＳパケットに欠落や誤りが発生した場合に、フリーズ処理によって再生が停止するという問題点があった。そのため、ＴＳパケットの訂正や補完を行なって、フリーズを抑制可能なデジタル放送受信装置の実現が重要な課題となっていた。
【０００９】
この発明は、上述した従来技術による問題点を解消し、課題を解決するためになされたものであり、ＴＳパケットに対して訂正や補完を行なってフリーズの発生を抑制可能なデジタル放送受信装置を提供することを目的とする。
【課題を解決するための手段】
【００１０】
上述した課題を解決し、目的を達成するため、請求項１の発明に係るデジタル放送受信装置は、デジタル放送を受信するデジタル放送受信装置であって、受信パケットの受信順序に基づいて、当該受信パケットの誤り訂正および／または補完を行なう補完訂正手段を備えたことを特徴とする。
【００１１】
この請求項１の発明によればデジタル放送受信装置は、受信パケットの受信順序に基づいて、当該受信パケットの誤り訂正および／または補完を行なう。
【００１２】
また、請求項２の発明に係るデジタル放送受信装置は、請求項１の発明において、前記補完訂正手段は、前記受信パケットをＦＩＦＯメモリに記憶し、当該ＦＩＦＯメモリにおける記憶順序を前記受信順序として用いることを特徴とする。
【００１３】
この請求項２の発明によればデジタル放送受信装置は、受信パケットをＦＩＦＯメモリに記憶し、当該ＦＩＦＯメモリにおける記憶順序に基づいて、当該受信パケットの誤り訂正および／または補完を行なう。
【００１４】
また、請求項３の発明に係るデジタル放送受信装置は、請求項１または２の発明において、前記補完訂正手段は、前記受信パケットに含まれる順序情報と前記受信順序とを比較し、前記順序情報と前記受信順序との間に不整合が生じた場合に前記順序情報を書き換えて訂正することを特徴とする。
【００１５】
この請求項３の発明によればデジタル放送受信装置は、受信パケットの受信順序と受信パケットに含まれる順序情報とを比較し、順序情報と受信順序との間に不整合が生じた場合に前記順序情報を書き換えて訂正する。
【００１６】
また、請求項４の発明に係るデジタル放送受信装置は、請求項１，２または３の発明において、前記補完訂正手段は、前記受信パケットに含まれる順序情報と前記受信順序とを比較して受信パケットの欠落の有無を判定し、欠落した受信パケットが判明した場合に当該欠落パケットを作成して補完することを特徴とする。
【００１７】
この請求項４の発明によればデジタル放送受信装置は、受信パケットの受信順序と受信パケットに含まれる順序情報とを比較して受信パケットの欠落の有無を判定し、欠落した受信パケットが判明した場合に当該欠落パケットを作成して補完する。
【００１８】
また、請求項５の発明に係るデジタル放送受信装置は、請求項４の発明において、前記補完訂正手段は、前記欠落パケットの内容を、以前のフレームにおける対応個所の内容を用いて作成することを特徴とする。
【００１９】
この請求項５の発明によればデジタル放送受信装置は、受信パケットの受信順序と受信パケットに含まれる順序情報とを比較して受信パケットの欠落の有無を判定し、欠落した受信パケットが判明した場合に当該欠落パケットを、以前のフレームにおける対応個所の内容を用いて作成する。
【００２０】
また、請求項６の発明に係るデジタル放送受信装置は、請求項１〜５の発明において、前記補完訂正手段は、Ｉピクチャに対して選択的もしくは優先的に訂正および／または補完を行なうことを特徴とする。
【００２１】
この請求項６の発明によればデジタル放送受信装置は、受信パケットの受信順序に基づいて誤り訂正および／または補完を行なう場合に、Ｉピクチャに対して選択的もしくは優先的に処理を行なう。
【００２２】
また、請求項７の発明に係るデジタル放送受信装置は、デジタル放送を受信するデジタル放送受信装置であって、異なる複数の符号化方式にそれぞれ対応する複数の復号手段と、前記複数の復号手段による復号結果を組み合わせて出力映像を作成する出力映像作成手段と、を備えたことを特徴とする。
【００２３】
この請求項７の発明によればデジタル放送受信装置は、異なる複数の符号化方式に対応する複数の復号手段を備え、それぞれの復号手段による復号結果を組み合わせて出力映像を作成する。
【００２４】
また、請求項８の発明に係るデジタル放送受信装置は、請求項７の発明において、前記複数の復号手段は、高品質の映像出力に対応する第１の復号手段と、低品質の映像出力に対応する第２の復号手段と備え、前記出力映像作成手段は、前記第１の復号手段からの出力にエラー領域か存在する場合に、当該エラー領域に対応する前記第２の復号手段の出力を用いて前記エラー領域の補完を行なうことを特徴とする。
【００２５】
この請求項８の発明によればデジタル放送受信装置は、高品質の映像出力に対応する復号手段と、低品質の映像出力に対応する復号手段とを備え、高品質の映像出力にエラー領域が存在する場合に、当該エラー領域に対応する低品質の映像出力を用いて補完する。
【００２６】
また、請求項９の発明に係るデジタル放送受信装置は、請求項８の発明において、前記出力映像作成手段は、Ｉピクチャに発生したエラー領域に対して選択的もしくは優先的に補完を行なうことを特徴とする。
【００２７】
この請求項９の発明によればデジタル放送受信装置は、高品質の映像出力におけるエラー領域を低品質の映像出力で補完する場合に、Ｉピクチャに発生したエラー領域に対して選択的もしくは優先的に補完を行なう
【００２８】
また、請求項１０の発明に係るデジタル放送受信装置は、請求項８または９の発明において、前記第１の復号手段は、ＭＰＥＧ２方式に対応することを特徴とする。
【００２９】
この請求項１０の発明によればデジタル放送受信装置は、ＭＰＥＧ２に対応する復号手段と、低品質の映像出力に対応する復号手段とを備え、ＭＰＥＧ２の映像出力にエラー領域が存在する場合に、当該エラー領域に対応する低品質の映像出力を用いて補完する。
【００３０】
また、請求項１１の発明に係るデジタル放送受信装置は、請求項８，９または１０の発明において、前記第２の復号手段は、ＭＰＥＧ４方式に対応することを特徴とする。
【００３１】
この請求項１１の発明によればデジタル放送受信装置は、高品質の映像出力に対応する復号手段と、ＭＰＥＧ４に対応する復号手段とを備え、高品質の映像出力にエラー領域が存在する場合に、当該エラー領域に対応するＭＰＥＧ４の映像出力を用いて補完する。
【発明の効果】
【００３２】
請求項１の発明によればデジタル放送受信装置は、受信パケットの受信順序に基づいて、当該受信パケットの誤り訂正および／または補完を行なうので、フリーズ発生を抑制するデジタル放送受信装置を得ることができるという効果を奏する。
【００３３】
また、請求項２の発明によればデジタル放送受信装置は、受信パケットをＦＩＦＯメモリに記憶し、当該ＦＩＦＯメモリにおける記憶順序に基づいて、当該受信パケットの誤り訂正および／または補完を行なうので、簡易な構成でフリーズ発生を抑制するデジタル放送受信装置を得ることができるという効果を奏する。
【００３４】
また、請求項３の発明によればデジタル放送受信装置は、受信パケットの受信順序と受信パケットに含まれる順序情報とを比較し、順序情報と受信順序との間に不整合が生じた場合に前記順序情報を書き換えて訂正するので、ＴＳパケットのヘッダ部のビットエラーを訂正し、もってフリーズ発生を抑制するデジタル放送受信装置を得ることができるという効果を奏する。
【００３５】
また、請求項４の発明によればデジタル放送受信装置は、受信パケットの受信順序と受信パケットに含まれる順序情報とを比較して受信パケットの欠落の有無を判定し、欠落した受信パケットが判明した場合に当該欠落パケットを作成して補完するので、ＴＳパケットの欠落を補完し、もってフリーズの発生を抑制するデジタル放送受信装置を得ることができるという効果を奏する。
【００３６】
また、請求項５の発明によればデジタル放送受信装置は、受信パケットの受信順序と受信パケットに含まれる順序情報とを比較して受信パケットの欠落の有無を判定し、欠落した受信パケットが判明した場合に当該欠落パケットを、以前のフレームにおける対応個所の内容を用いて作成するので、欠落パケットの内容を補完し、もってフリーズの発生を抑制するデジタル放送受信装置を得ることができるという効果を奏する。
【００３７】
また、請求項６の発明によればデジタル放送受信装置は、受信パケットの受信順序に基づいて誤り訂正および／または補完を行なう場合に、Ｉピクチャに対して選択的もしくは優先的に処理を行なうので、フリーズの発生を効率的に抑制するデジタル放送受信装置を得ることができるという効果を奏する。
【００３８】
また、請求項７の発明によればデジタル放送受信装置は、異なる複数の符号化方式に対応する複数の復号手段を備え、それぞれの復号手段による復号結果を組み合わせて出力映像を作成するので、ＴＳパケットのペイロードに発生したエラーを訂正し、もってフリーズの発生を抑制するデジタル放送受信装置を得ることができるという効果を奏する。
【００３９】
また、請求項８の発明によればデジタル放送受信装置は、高品質の映像出力に対応する復号手段と、低品質の映像出力に対応する復号手段とを備え、高品質の映像出力にエラー領域が存在する場合に、当該エラー領域に対応する低品質の映像出力を用いて補完するので、出力映像のエラー領域を効率的に修正するとともに、高品質な映像出力を行なうデジタル放送受信装置を得ることができるという効果を奏する。
【００４０】
また、請求項９の発明によればデジタル放送受信装置は、高品質の映像出力におけるエラー領域を低品質の映像出力で補完する場合に、Ｉピクチャに発生したエラー領域に対して選択的もしくは優先的に補完を行なうので、出力映像の品質を効果的に向上したデジタル放送受信装置を得ることができるという効果を奏する。
【００４１】
また、請求項１０の発明によればデジタル放送受信装置は、ＭＰＥＧ２に対応する復号手段と、低品質の映像出力に対応する復号手段とを備え、ＭＰＥＧ２の映像出力にエラー領域が存在する場合に、当該エラー領域に対応する低品質の映像出力を用いて補完するので、ＭＰＥＧ２用のペイロードに発生したエラーを訂正し、もってフリーズの発生を抑制するデジタル放送受信装置を得ることができるという効果を奏する。
【００４２】
また、請求項１１の発明によればデジタル放送受信装置は、高品質の映像出力に対応する復号手段と、ＭＰＥＧ４に対応する復号手段とを備え、高品質の映像出力にエラー領域が存在する場合に、当該エラー領域に対応するＭＰＥＧ４の映像出力を用いて補完するので、ＴＳパケットのペイロードに発生したエラーをＭＰＥＧ４用のデータを用いて訂正し、もってフリーズの発生を抑制するデジタル放送受信装置を得ることができるという効果を奏する。
【発明を実施するための最良の形態】
【００４３】
以下に添付図面を参照して、この発明に係るデジタル放送受信装置の好適な実施例である車載用のデジタルテレビ受信機について説明する。
【実施例】
【００４４】
図１は、本発明の実施例である車載用のデジタルテレビ受信機１の概要構成を示す概要構成図である。同図に示すように、デジタルテレビ受信機１は、アンテナ１０、チューナ１１、ＯＦＤＭ復調部１２、復号処理部１３，３４、ＳＤＲＡＭ１４、ＡＡＣデコーダ１５、提示処理部１６、Ｎｔｓｃエンコーダ１７、ビデオＤＡＣ１８およびヘッダ補完部３１を有する。
【００４５】
チューナ１１は、アンテナ１０が受信した電波から指定された周波数の信号を選局してＯＦＤＭ復調部１２に出力する。
【００４６】
デジタルテレビ放送では、変調方式としてＯＦＤＭ（直交周波数分割多重）が採用されている。そこで、ＯＦＤＭ復調部１２は、チューナが選局した信号に対してＯＦＤＭ復調を施し、ＴＳパケットを取り出してヘッダ補完部３１に出力する。
【００４７】
ヘッダ補完部３１は、その内部にＦＩＦＯ制御部３２および補完訂正処理部３３を有し、ＴＳパケットのヘッダ部における誤りの訂正や、欠落したＴＳパケットの補完を行なって復号処理部１３および復号処理部３４に出力する。このヘッダ補完部３１の詳細な動作については後述する。
【００４８】
復調処理部１３は、その内部にＴＳ−ＤｅＭＵＸ２１およびＭＰＥＧ２デコーダ２２を有する。ＴＳ−ＤｅＭＵＸ２１は、受信したＴＳパケットから必要なパケットを選別するフィルタリングを行なう。
【００４９】
また、ＴＳ−ＤｅＭＵＸ２１は、取り出したＴＳバケットが音声を符号化したデータである場合には、そのパケットをＡＡＣデコーダ１５に出力し、取り出したＴＳパケットが映像を符号化したデータである場合には、そのパケットをＭＰＥＧ２デコーダ２２に出力する。
【００５０】
デジタルテレビ放送では、映像はＭＰＥＧ（Moving Picture Experts Group）２規格によって、音声はＡＡＣ（Advanced Audio Coding）規格によって符号化されている。そこで、ＭＰＥＧ２デコーダ２２は、同規格に従って映像データを復号し、ＡＡＣデコーダ１５は、同規格に従って音声データを復号する。
【００５１】
さらに、デジタルテレビ放送に用いられるチャンネルでは、１つのチャンネルが１３のセグメントを有している。この１３のセグメントのうち、１２のセグメントは固定用、すなわち通常のデジタルテレビ放送に用いられ、残りの１セグメントがデータ放送や携帯電話用のテレビ放送に用いられる。
【００５２】
上述したＭＰＥＧ２規格で符号化された映像データは、通常用の１２のセグメントによって伝送されているが、同内容の映像データがＭＰＥＧ４規格によって符号化され、携帯電話用として１セグメントを利用して伝送される。
【００５３】
復号処理部３４は、その内部にＭＰＥＧ４デコーダを備えており、ＭＰＥＧ４規格によって携帯電話用の映像データを復号して出力する。
【００５４】
提示処理部１６は、デジタルテレビ受信機１から出力する映像を作成する処理部であり、その内部に映像補完部３６を有する。映像補完部３６は、復号処理部１３が出力した映像データに、正常に再生できない領域、すなわちエラー領域が存在する場合は、そのエラー領域に対応する映像を復号処理部３４からの出力を用いて補完する。
【００５５】
さらに、提示処理部１６は、受信したチャンネルがデータ放送を行なっている場合には、出力する映像の内容をデータ放送に対応した映像に再構成する処理を行なう。
【００５６】
Ｎｔｓｃエンコーダ１７は、映像データをＮｔｓｃ（National Television Standards Committee）形式にエンコードして外部に出力する。一方、ビデオＤＡＣ１８は、映像データをデジタル信号からアナログ信号に変換して出力する。このビデオＤＡＣ１８からの出力は、デジタルテレビ受信機１と一体に形成された図示しないディスプレイなどで使用する。
【００５７】
また、ＳＤＲＡＭ（Synchronous DRAM）１４は、ＭＰＥＧ２デコーダ２２によって復号された映像データを一時的に記憶する記憶手段として機能する。
【００５８】
つぎにヘッダ補完部３１における処理について説明する。ＦＩＦＯ制御部３２は、ＯＦＤＭ復調部１２が出力したＴＳパケットをＦＩＦＯ（First-In First-Out）制御によって記憶するメモリである。したがって、ここでの記憶順序は、ＴＳパケットの受信順序と一致することとなる。
【００５９】
一方で、ＴＳパケットには、動画再生の連続性を保つために時間情報などの順序情報が格納されている。従って、ＴＳパケットが正常に受信された場合には、この順序情報とＦＩＦＯメモリでの記憶順序が一致することとなる。
【００６０】
しかしながら、ＴＳパケットの時間情報にビットエラーが発生した場合には、順序情報と記憶順序との間に不一致が生じる。同様に、受信状態の悪化などによってＴＳパケットに欠落が生じた場合にも、順序情報と記憶順序との間に不一致が生じる。
【００６１】
補完訂正処理部３３は、記憶順序と順序情報との間に不一致が生じた場合に、記憶順序に基づいてＴＳパケットの訂正や補完を行なう。
【００６２】
図２は、補完訂正処理部３３によるＴＳパケットの訂正の具体例を説明する説明図である。同図では、ＦＩＦＯメモリ領域「Ｆ１００１〜Ｆ１００６」に６つのＴＳパケットが記憶されている。ここで、ＴＳパケットの時間情報は、順に「Ｔ１００１」、「Ｔ１００２」、「Ｔ１００３」、「Ｔ１０７５」、「Ｔ１００５」、「Ｔ１００６」となっており、時刻情報「Ｔ１０７５」が記憶順序に対して不一致となっている。また、以降のＴＳパケットの時刻情報が記憶順序と一致していることから、このＴＳパケットの時刻情報にはビットエラーが生じており、もとの時刻情報は「Ｔ１００４」であったと考えられる。
【００６３】
そこで、補完訂正処理部３３は、この時刻情報を「Ｔ１００４」と書き換えてＴＳパケットを訂正することで、順序情報と記憶順序との整合性を確保する。
【００６４】
一方、ＴＳパケットに欠落が生じた場合、図３に示すように順序情報と記憶順序との間にズレが生じる。具体的には、図３では、ＦＩＦＯメモリ領域「Ｆ１００１〜Ｆ１００６」に対して、時刻情報「Ｔ１００１〜Ｔ１００３」を有するＴＳパケットと、時刻情報「Ｔ１００５〜Ｔ１００７」とが記憶されており、時刻情報「Ｔ１００４」を有するＴＳパケットの欠落によって記憶順序とのズレが生じている。
【００６５】
そこで、補完訂正処理部３３は、この欠落パケット（時刻情報「Ｔ１００４」を有するＴＳパケット）を作成してＴＳパケットの補完を行い、順序情報と記憶順序との整合性を確保する。
【００６６】
このＴＳパケットの補完の補完を行なう場合、データ部分を空白としても対応する映像などが空白となるのみであり、以降のＴＳパケットを正確に扱うことができるという効果が得られるが、例えば前後のＴＳパケット（図３では時刻情報「Ｔ１００３」および「Ｔ１００５」を有するＴＳパケット）からデータの内容を推測して作成したならば、より精度よくエラーを抑制することが可能である。
【００６７】
また、ＦＩＦＯメモリに充分な容量があり、欠落パケットに対応する領域の、前回のフレームの内容を保持しているならば、図４に示すように前回のフレームにおける対応箇所のデータ（図４では時刻情報「Ｔ０００４」を有するパケットのデータ）を補完したＴＳパケットのデータとして利用してもよい。
【００６８】
ところで、ＭＰＥＧによる動画の符号化では、連続する１５フレームのうち１フレームのみを一つの静止画像としてとらえて圧縮データを作成し、他の１４フレームについては被写体の動きを予測して作成した予測画像と、実際の動画像とを比較した差分データを作成している。
【００６９】
図５に示したＩピクチャ（Intra-coded picture）は、基準となる静止画像であり、このＩピクチャから４，７，１０および１３フレーム目の画像を時間軸方向に対して前向きに予測したＰピクチャ（Predictive-coded picture）を作成する。
【００７０】
さらに、ＩピクチャおよびＰピクチャから、２，３，５，６，８，９，１１，１２，１４，１５フレーム目の画像を予測したＢピクチャ（Bi-directionally predictive coded picture）を作成する。
【００７１】
従って、Ｉピクチャを作成するためのＴＳパケットにエラーが発生した場合には、そのエラーは１５フレーム全ての画像に対して波及し、出力映像における影響が大きくなる。一方、ＰピクチャやＢピクチャとの差分データについては、エラーが発生したとしてもＩピクチャの場合に比して影響が小さい。
【００７２】
そこで、補完訂正処理部３３による訂正や補完は、Ｉピクチャを作成するためのＴＳパケットに対して選択的もしくは優先的に行なうことが、出力映像の品質を向上する上で有効である。例えば、エラーの発生量が大きく、訂正や補正の処理負荷が大きい場合にはＩピクチャを作成するためのＴＳパケットのみに対して訂正や補正を実行し、処理能力に余裕がある場合にＰピクチャやＢピクチャとの差分データへの訂正・補正を実行すれば良い。
【００７３】
つぎに、映像補完部３６による映像の補完についてさらに説明する。図６は、映像補完部３６による映像の補完の具体例を説明する説明図である。上述したように、１３のセグメントのうち１２セグメントは、ＭＰＥＧ２映像データの伝送に使用される。この映像データは、例えば画像規格４８０Ｉに従う場合では、横方向に７２０画素、縦方向に４８０画素を有する高精細な画像である。
【００７４】
一方、１セグメントを使用して伝送されるＭＰＥＧ４映像データは、携帯電話による受信などを想定し、横方向に１７７画素、縦方向に１４４画素程度の映像データとなっている。
【００７５】
そのため、固定型テレビや車両用テレビなど、大画面を使用するテレビ受信では、高精細なＭＰＥＧ２映像データをデコードして使用する。しかし、ＭＰＥＧ２映像データにエラーが発生した場合、対応する領域が正常に再生できないエラー領域となる。
【００７６】
具体的には、図６では、ＭＰＥＧ２映像データから作成した映像４１に、エラー領域４２が発生している。映像補完部３６は、ＭＰＥＧ２の映像にエラー領域が存在する場合に、ＭＰＥＧ４映像データの対応する領域を使用して補完する。
【００７７】
図６においては、ＭＰＥＧ４映像データ４３は、ＭＰＥＧ２映像データ４１と同内容であり、エラー領域４２に対応する部分領域４４を有する。映像補完部３６は、この部分領域４４を用いてＭＰＥＧ２映像データ４１を補完した映像データ４５を作成し、出力する。
【００７８】
上述してきたように、本実施例にかかるデジタルテレビ受信機１は、ＴＳパケットの受信順序を記憶し、この受信順序に基づいてＴＳパケットの訂正や補完を行なうので、ＴＳパケットのヘッダ部分にビットエラーが発生して順序情報に異常が生じた場合や、受信状態の悪化によってＴＳパケットの欠落が発生した場合であっても正常な映像出力を実現することができる。
【００７９】
また、本実施例にかかるデジタルテレビ受信機１では、複数の映像符号化方式に対応し、ＭＰＥＧ２映像データのエラー領域をＭＰＥＧ４映像データによって補完しているので、ＴＳパケットのペイロードにビットエラーが発生した場合であっても、出力映像におけるエラー領域を正常な出力に近い形で表示することができる。
【００８０】
このように、ＴＳパケットにおいてビットエラーが発生したとしても、そのエラーがヘッダ部において発生したかペイロードにおいて発生したかに関わらずビットエラーを訂正し、また欠落したパケットをも補完するので、映像再生時におけるフリーズ処理の発生を抑制することができる。
【産業上の利用可能性】
【００８１】
以上のように、本発明にかかるデジタル放送受信装置は、デジタル放送受信時におけるフリーズの抑制に有用であり、特に、移動体用のデジタルテレビ受信機など受信状況が激しく変動する場合のフリーズ抑制に有用である。
【図面の簡単な説明】
【００８２】
【図１】本発明の実施例にかかるデジタルテレビ受信機の概要構成を示す概要構成図である。
【図２】ＴＳパケットの訂正の具体例を説明する説明図である。
【図３】欠落パケットの補完の具体例を説明する説明図である。
【図４】前フレームのデータを利用した欠落パケットの補完について説明する説明図である。
【図５】ＭＰＥＧにおける伝送データについて説明する説明図である。
【図６】図１に示した映像補完部による映像の補完を説明する説明図である。
【符号の説明】
【００８３】
１    デジタルテレビ受信装置
１０    アンテナ
１１    チューナ
１２    ＯＦＤＭ復調部
１３，３４    復号処理部
１４    ＳＤＲＡＭ
１５    ＡＡＣデコーダ
１６    提示処理部
１７    Ｎｔｓｃエンコーダ
１８    ビデオＤＡＣ
１９    オーディオＤＡＣ
２１    ＴＳ−ＤｅＭＵＸ
２２    ＭＰＥＧ２デコーダ
３１    ヘッダ補完部
３２    ＦＩＦＯ制御部
３３    補完訂正処理部
３５    ＭＰＥＧ４デコーダ
３６    映像補完部
４１    ＭＰＥＧ２映像データ
４２    エラー領域
４３    ＭＰＥＧ４映像データ
４４    部分領域
４５    映像データ
【図１】
2005260606.tif 000003
【図２】
2005260606.tif 000004
【図３】
2005260606.tif 000005
【図４】
2005260606.tif 000006
【図５】
2005260606.tif 000007
【図６】
2005260606.tif 000008